(57)【特許請求の範囲】
【請求項１】
手の甲側に圧接させてカメラを把持するパッドと、このパッドの両側から延設させてカメラに止着するためのバンドとを有するカメラ用グリップストラップにおいて、パッドの一方側から延設したバンドをカメラに止着する第１の取付手段が、カメラに設けたねじ孔と、このねじ孔にねじ込むねじ部を先端部に有し、そのねじ部が上記ねじ孔を通過することにより、上記ねじ孔内で回転自在となる支持部からなる上記バンドに取付けた取付具とからなり、パッドの他方側から延設したバンドをカメラに止着する第２の取付手段が、係止孔を設けてバンドに取付けた板状の取付具と、カメラに設けた差し込み口より上記取付具を差し込むことにより、その係止孔に突入するばね勢力を与えた係止ピンとからなることを特徴とするカメラ用グリップストラップ。
【発明の詳細な説明】
【０００１】
【発明の属する技術分野】
この発明は、パッドを手の甲に圧接させてカメラを把持するためのグリップストラップに関する。
【０００２】
【従来の技術】
撮影時にカメラ把持を確実にして安定するようにすること、また、カメラを片手で持ち運びするときにその脱落を防ぐことなどのために、カメラにグリップストラップ（ハンドストラップとも言う）を取付けることが多い。
【０００３】
例えば、横幅に比べ上下幅と前後幅が大きい形態のカメラでは、カメラを右手で把持する関係で、グリップストラップがカメラの右側（カメラの後面から見たとき）に位置するように取付けられている。
このようなグリップストラップは広く知られているように様々な形状、構造のものがあるが、一般的には、手の甲に当てがうパッドと、パッドの両側から延設したバンドとから構成されている。
【０００４】
このグリップストラップの場合には、細長い板状のストラップ取付具の両端にパッドの両側より延設されたバンドの各々の先端部が支持されており、ストラップ取付ぐをカメラ側面にねじ止めしてストラップをカメラに取付けるようになっている。
【０００５】
【発明が解決しようとする課題】
上記したようなグリップストラップは、ストラップ取付具に備えられた取付ねじをカメラのねじ孔にねじ込んで取付けするが、ストラップ取付具をカメラ側面に押し当てながら取付ねじをカメラのねじ孔に位置合せしなければならず、この位置せを要するために必ずしも取付けに便利なものではなかった。
【０００６】
また、このグリップストラップは、不用意に取付ねじが弛むことがあるため、ストラップを手に持ってカメラを持ち運んでいる間にストラップが取り外れカメラを落下させてしまうおそれがある。
【０００７】
さらに、上記のグリップストラツプはパッドとバンドの他に、板状のストラップ取具を有するので、ストラップをカメラから取外して携帯するような場合に、嵩の増すストラップとなっていた。
【０００８】
本発明は上記した実情にかんがみ、取付けが簡単である反面、不用意に取外れることがなく、携帯に便利なカメラ用グリップストラップを提供することを目的とする。
【０００９】
【課題を解決するための手段】
上記した目的を達成するため本発明は、手の甲側に圧接させてカメラを把持するパッドと、このパッドの両側から延設させてカメラに止着するためのバンドとを有するカメラ用グリップストラップに関する。
【００１０】
そして、パッドの一方側から延設したバンドをカメラに止着する第１の取付手段が、カメラに設けたねじ孔と、このねじ孔にねじ込むねじ部を先端部に有し、そのねじ部が上記ねじ孔を通過することにより、上記ねじ孔内で回転自在となる支持部からなる上記バンドに取付けた取付具とから構成してある。
【００１１】
また、パッドの他方側から延設したバンドをカメラに止着する第２の取付手段が、係止孔を設けてバンドに取付けた板状の取付具と、カメラに設けた差し込み口より上記取付具を差し込むことにより、その係止孔に突入するばね勢力を与えた係止ピンとから構成してある。
【００１２】
【作用】
グリップストラップをカメラに取付けるときは、パッドの一方側のバンドについては、取付具のねじ部をカメラのねじ孔にねじ込み、そのねじ部が上記ねじ孔を通過するまでねじ込むことによって取付けられる。
つまり、ねじ部がカメラのねじ孔を通過することにより、取付具の支持部が上記ねじ孔内で回転自在となって抜け止めされる。
【００１３】
また、パッドの他方側のバンドについては、取付具をカメラの差し入れ口に差し込むことにより、その係止孔に係止ピンが突入することから取付けられる。
【００１４】
このことから、このストラップは、一方側のバンドの取付具をカメラのねじ孔にねじ込み、他方側のバンドの取付具をカメラの差し入れ口に差し込むだけで取付けることができる。
【００１５】
グリップストラップをカメラから取り外すときは、カメラの係止ピンを用具を使って係止孔より脱出させ、他方側のバンドの取付具を抜き出した後、一方側のバンドの取付具を引っ張りながらねじ戻し方向に回転させ、この取付具のねじ部をカメラのねじ孔から抜き出す。
【００１６】
【発明の実施の形態】
次に、本発明の実施形態について図面に沿って説明する。
図１はグリップストラップ（以下、実施形態では単に「ストラップ」という）１０を装備させたカメラ１１の側面図、図２は同カメラの正面図、図３は同カメラの背面図である。
【００１７】
図示するように、カメラ１１は横幅に比べて上下幅と前後幅（奥行き幅）の大きいボックス状のカメラ形態となっており、このカメラの右側（背面側から見て）にストラップ１０が取付けてある。
【００１８】
上記カメラ１１は、その正面側に撮影レンズ前面に設けたレンズバリア１２、フラッシュ発光部１３、ファィンダ窓１４、ＡＦ用窓１５などを備えている。
【００１９】
また、カメラ背面には、メインスイッチ１６、ファィンダ接眼部１７、撮影モ−ド設定釦１８、モ−ド表示部１９を備え、さらに、この背面には、モ−ド釦カバ−２０などを備えている。
なお、このカバ−２０は図４に示したように、軸支部２１を支軸として下方向に旋回させて開くようになっている。
【００２０】
さらに、このカメラ１１の右側面（ストラップ側）には、シャッタ釦２２、ズ−ムレバ−２３を備え、また、手指を入れてカメラを把持するための凹所部２４が形成してある。
なお、カメラ１１の左側面には画角サイズ切換レバ−２５などが備えてある。
【００２１】
一方、ストラップ１０は、パッド１０ａと、このパッド１０ａの両側から延設させたバンド１０ｂ、１０ｃによって形成してある。
そして、バンド１０ｂについては、ねじ体３１と三角リング３２からなる取付具と、上記ねじ体３１をねじ込むカメラ１１のねじ孔とで構成した第１の取付手段によってカメラ側面の前方部所に取付けてある。
【００２２】
図５、図６はその第１の取付手段を拡大して示す詳細図である。
図示する如く、ねじ体３１は、先端部に雄ねじのねじ部３１ａを有し、そのねじ部径に比べて小径とした円形断面の支持部３１ｂと、偏平形成部に設けた支持孔３１ｃに三角リング３２を取付けた円形基部の本体部３１ｄとから構成してある。
【００２３】
そして、バンド１０ｂは、そのバンドの端側を三角リング３２を通して折り返し、その折り返し部分をバンド裏面に固着して三角リング３２に取付けてある。
【００２４】
また、カメラ側面の前方部所には、図６に示した通り、雌ねじのねじ孔３３ａを設けたねじ受け部材３３がカメラボデ−１１ａに嵌着してある。
【００２５】
このように構成した第１の取付手段は、ねじ体３１を一方向に回転操作してカメラ１１のねじ孔３３ａにねじ込むが、このねじ込み操作では、ねじ部３１ａがねじ孔３３ａを通り過ぎるまでねじ込む。
このようにねじ込むと、ねじ体３１の支持部３１ｂがねじ孔３３ａ内まで挿入されるから、この支持部３１ｂがねじ孔３３ａ内で回転自在となる。
【００２６】
この状態ではねじ体３１を単に引き戻したのでは、ねじ体３１がねじ孔３３ａから抜け出ることがない。
つまり、ねじ体３１を引っ張ると、ねじ部３１ａがねじ孔３３ａの孔縁に突き当たり、ねじ体３１の引き抜きを阻止する。
これより、バンド１０ｂがカメラ１１に確実に取付けられる。
【００２７】
なお、ねじ体３１を引っ張りながら他方向に回転操作すると、ねじ部３１ａがねじ孔３３ａを戻りねじ結合して後退するので、ねじ体３１がねじ孔３３ａから抜け出す。
この操作でバンド１０ｂをカメラ１１より取り外すことができる。
【００２８】
他方、バンド１０ｃについては、差し入れ板４１からなる取付具と、カメラ１１に設けた係止ピン４２とで構成した第２の取付手段によってカメラ側面の後方部所に取付けてある。
【００２９】
図７〜図９はその第２の取付手段を拡大して示す詳細図である。
なお、図８は図７上のＡ−Ａ線断面図、図９は図７上のＢ−Ｂ線拡大断面図である。
図示する如く、差し入れ板４１は、リング部４１ａと、係止孔４１ｃを設けた舌片部４１ｂとから形成した板状のものとなっている。
【００３０】
バンド１０ｃはバンドの端側を上記した差し入れ板４１のリング部４１ａの孔部を通して折り返し、その折り返し部分を面ファスナ−によってパッド１０ａの裏側に止着するようにしてある。
つまり、パッド１０ａは２つ折り形成してあり、折り重ねによって対面する両パッド部分の内面に面フアスナ−を設けてある。
そして、パッド１０ａの折り重ねを開き、一方のパッド部分の面フアスナ−によってバンド１０ｃの端側を止着するようにしてバンド長さを調整した後、他方のパッド部分を一方のパッド部分に折り重ねて面フアスナ−によって止着し、折り重ねのパッド１０ａを形成するようになっている。
なお、バンド１０ｃの折り返し部分は面フアスナ−に換えてホックなどによって止着するようにしてもよい。
【００３１】
なお、上記した差し入れ板４１の係止孔４１ｃは、図９に拡大して示したように、係止ピン４２の先端側となる孔縁をテ−パ−状に形成することが好ましい。つまり、バンド１０ｃを取り外すときには、細形状の用具で係止ピン４２を押動して係止孔４１ｃより脱出させながら差し入れ板４１をカメラ１１から引き抜くが、この場合、上記テ−パ−が差し入れ板４１の引き出しを容易にする。
【００３２】
また、上記した差し入れ板４１の舌片部４１ｂは、その先端部にテ−パ−４１ｄが形成してある。
このテ−パ−４１ｄは、差し入れ板４１をカメラ１１に差し込んだとき、舌片部４１ｂを係止ピン４２に乗り上げて容易に進めるように作用する。
【００３３】
上記した係止ピン４２は、カメラ側面の後方部所に形成した差し入れ口４３（図７参照）の奥部に配設し、差し入れ板４１を差し込んだとき、その係止孔４１ｃに突入するようになっている。
つまり、係止ピン４２は、一端部を支軸４４によってカメラボデ−１１ａに固着した板ばね４５の先端部に固定してある。
【００３４】
なお、上記係止ピン４２は、図４に示すように、カメラボデ−１１ａの背面側に形成した凸形部１１ｂ内に位置しており、この凸形部１１ｂに形成した小孔４６より細形状の用具を挿入して係止ピン４２を係止孔４１ｃ内から押し出す構成となっている。
【００３５】
このように構成した第２の取付手段は、差し入れ板４１の舌片部４１ｂをカメラ１１の差し入れ口４３より差し込む。
舌片部４１ｂが差し込まれると、そのテ−パ−部４１ｄが係止ピン４２に突き当り、このテ−パ−部４１ｄによって係止ピン４２を押しのけて進む。
【００３６】
係止孔４１ｃが係止ピン４２に対向するように舌片部４１ｂが進むと、係止ピン４２が板ばね４５の弾性力を受けて係止孔４１ｃ内に突入する。
これより、差し入れ板４１の抜け出しが係止ピン４２によって阻止され、バンド１０ｃがカメラ１１に確実に取付けられる。
【００３７】
また、バンド１０ｃをカメラ１１より取り外す場合には、カメラ凸形部１１ｂの小孔４６に細形状の用具を挿入し、係止ピン４２を係止孔４１ｃ内より押し出し、この状態で差し入れ板４１の舌片部４１ｂを差し入れ口４３から引き出す。なお、この取り外し操作では、係止ピン４２を係止孔４１ｃから用具で押し出しながら差し入れ板４１を引き出すが、係止孔４１ｃの孔縁がテ−パ−状となっているので、差し入れ板４１を容易に引き出すことができる。
【００３８】
上記したように、ストラップ１０をカメラ１１に取付け、パッド１０ａとカメラ１１との間に手を差し入れてカメラ１１を把持することができる。
また、図示するように、カメラ１１にリスト用ストラップ５０を取付ければ、カメラ１１が不用意に手から離れても手首を通したリスト用ストラップ５０によってカメラ１１の落下を防ぐことができて効果的である。
【００３９】
【発明の効果】
上記した通り、本発明のグリップストラップは、第１の取付手段の取付具をカメラのねじ孔にねじ込み、第２の取付手段の取付具をカメラの差し入れ口に差し込むだけで取付けることができることから、ストラップの取付けが簡単で、しかも確実な取付けとなる。
【図面の簡単な説明】
【図１】本発明を実施したグリップストラップを装備したカメラの側面図である。
【図２】上記カメラの正面図である。
【図３】上記カメラの背面図である。
【図４】モ−ド釦カバ−を開いた状態を示す上記カメラの部分的な背面図である。
【図５】パッドの一方側に延設したバンドを取付ける取付具を示す拡大正面図である。
【図６】パッドの一方側に延設したバンドの取付け状態を示す拡大断面図である。
【図７】パッドの他方側に延設したバンドの取付状態を示す拡大機構図である。
【図８】図７上のＡ−Ａ線断面図である。
【図９】図７上のＢ−Ｂ線断面図である。
【符号の説明】
１０  グリップストラップ
１０ａ  パッド
１０ｂ、１０ｃ  バンド
１１  カメラ
３１  ねじ体
３１ａ  ねじ部
３１ｂ  支持部
３２  三角リング
３３ａ  ねじ孔
４１  差し入れ板
４１ａ  リング部
４１ｂ  舌片部
４１ｃ  係止孔
４２  係止ピン
４３  差し入れ口
４５  板ばね
４６  小孔
【図１】
0003632168.tif 000002
【図２】
0003632168.tif 000003
【図３】
0003632168.tif 000004
【図４】
0003632168.tif 000005
【図５】
0003632168.tif 000006
【図６】
0003632168.tif 000007
【図７】
0003632168.tif 000008
【図８】
0003632168.tif 000009
【図９】
0003632168.tif 000010